【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
炭酸カルシウム及びマグネシウムを含む粒状鉱物を含む組成物であって、
前記粒状鉱物は、該粒状鉱物の全重量に対して７重量％〜８０重量％のマグネシウムを含み、
前記粒状鉱物の総化学組成は、該粒状鉱物の表面化学組成のマグネシウム含量の５％範囲内のマグネシウム含量を有し、かつ、
前記粒状鉱物は、２０〜８０の範囲の急峻性値を有する、組成物。
【請求項２】
前記粒状鉱物の総化学組成は、該粒状鉱物の表面化学組成と同じである、請求項１に記載の組成物。
【請求項３】
マグネシウムは、前記粒状鉱物全体にわたり均一に分配されている、請求項１に記載の組成物。
【請求項４】
前記粒状鉱物は、式ＭｇｘＣＯ３ＣａｙＣＯ３（式中、ｘ及びｙはそれぞれ０より大きく、かつｘは、ｙが１である場合に１ではない）を有する、請求項１に記載の組成物。
【請求項５】
ｘは２〜８０の範囲であり、かつｙは２０〜９５の範囲である、請求項４に記載の組成物。
【請求項６】
前記粒状鉱物は、該粒状鉱物の全重量に対して４０重量％〜６０重量％のマグネシウムを含む、請求項１に記載の組成物。
【請求項７】
前記粒状鉱物は、３μｍ〜８０μｍの範囲の平均粒径を有する、請求項１に記載の組成物。
【請求項８】
前記粒状鉱物は、５μｍ〜１０μｍの範囲の平均粒径を有する、請求項１に記載の組成物。
【請求項９】
前記粒状鉱物は、２０ｍ２／ｇ未満のＢＥＴ表面積を有する、請求項１に記載の組成物。
【請求項１０】
前記粒状鉱物は、リン酸を更に含む、請求項１に記載の組成物。
【請求項１１】
前記粒状鉱物は、ポリマー又はコポリマーを更に含み、該粒状鉱物は、複合粒子の形である、請求項１に記載の組成物。
【請求項１２】
前記ポリマー又は前記コポリマーは、アクリル系ポリマー、スチレン及びブタジエンのコポリマー、アクリロニトリル及びブタジエンのコポリマー、ジイソブチレン及び無水マレイン酸のコポリマー、マレイン酸変性ブタジエン、マレイン酸変性ポリエチレン、マレイン酸変性ポリプロピレン、又はそれらの組み合わせの少なくとも１つを含む、請求項１１に記載の組成物。
【請求項１３】
前記粒状鉱物は、再生炭酸カルシウムを含む、請求項１に記載の組成物。
【請求項１４】
前記粒状鉱物は、６０〜９０の範囲のＧＥ白色度を有する、請求項１に記載の組成物。
【請求項１５】
前記粒状鉱物は、耐酸性である、請求項１に記載の組成物。
【請求項１６】
前記粒状鉱物は、３．８の初期ｐＨを有するクエン酸一水和物、塩化ナトリウム、及び水酸化ナトリウムを含む１００ｍｌの水溶液に１ｇの粒状鉱物を添加した３０分後の７．０未満のｐＨに相当する酸溶解プロファイルを有する、請求項１に記載の組成物。
【請求項１７】
前記組成物は、粉体の形である、請求項１に記載の組成物。
【請求項１８】
液体を更に含むことで、前記組成物はスラリーを形成する、請求項１に記載の組成物。
【請求項１９】
前記組成物は、掘削液である、請求項１８に記載の組成物。
【請求項２０】
炭酸カルシウム及びマグネシウムを含む粒状鉱物を含む組成物であって、
前記粒状鉱物は、該粒状鉱物の全重量に対して７重量％〜８０重量％のマグネシウムを含み、
前記粒状鉱物は、３．８の初期ｐＨを有するクエン酸一水和物、塩化ナトリウム、及び水酸化ナトリウムを含む１００ｍｌの水溶液に１ｇの粒状鉱物を添加した６０分後の３．８から６．８の間のｐＨに相当する酸溶解プロファイルを有し、かつ、
前記粒状鉱物は、２０〜８０の範囲の急峻性値を有する、組成物。
【請求項２１】
前記粒状鉱物の酸溶解プロファイルにおいて、前記水溶液のｐＨは、該粒状鉱物を添加した１２０分後に３．８〜５．９の範囲である、請求項２０に記載の組成物。
【請求項２２】
前記粒状鉱物の表面化学組成又は総化学組成の少なくとも一方は、式ＭｇｘＣＯ３ＣａｙＣＯ３（式中、ｘ及びｙはそれぞれ０より大きく、かつｘは、ｙが１である場合に１ではない）を有する、請求項２０に記載の組成物。
【請求項２３】
ｘは２〜８０の範囲であり、かつｙは２０〜９５の範囲である、請求項２２に記載の組成物。
【請求項２４】
前記粒状鉱物は、３μｍ〜８０μｍの範囲の平均粒径を有する、請求項２０に記載の組成物。
【請求項２５】
前記粒状鉱物は、第１の粒状鉱物であり、前記組成物は、該第１の粒状鉱物の化学組成とは異なる化学組成を有する第２の粒状鉱物を更に含む、請求項２０に記載の組成物。
【請求項２６】
前記第１の粒状鉱物は、０．５μｍ〜７５μｍの範囲のｄ５０粒径を有し、かつ前記第２の粒状鉱物は、３μｍ〜７５μｍの範囲のｄ５０粒径を有する、請求項２５に記載の組成物。
【請求項２７】
前記第２の粒状鉱物は、重質炭酸カルシウムを含む、請求項２５に記載の組成物。
【請求項２８】
水系液体、油系液体、又は油−水液体混合物を更に含む、請求項２０に記載の組成物。
【請求項２９】
前記組成物は、掘削液である、請求項２８に記載の組成物。
【請求項３０】
炭酸カルシウムと、スチレン−ブタジエンコポリマー、アクリロニトリル−ブタジエンコポリマー、マレイン酸変性ブタジエン、マレイン酸変性ポリエチレン、マレイン酸変性ポリプロピレン、又はそれらの混合物から選択されるコポリマーとを含む粒状鉱物を含む組成物であって、
前記粒状鉱物は、該粒状鉱物の全重量に対して７重量％〜８０重量％の前記コポリマーを含み、
前記粒状鉱物の総化学組成は、該粒状鉱物の表面化学組成のコポリマー含量の５％範囲内のコポリマー含量を有し、かつ、
前記粒状鉱物は、２０〜８０の範囲の急峻性値を有する、組成物。
【請求項３１】
前記コポリマーは、ラテックスを含む、請求項３０に記載の組成物。
【請求項３２】
炭酸カルシウム及びマグネシウムを含む組成物であって、マグネシウムは、前記組成物全体にわたり一様に分配されており、かつ前記組成物は、該組成物の全重量に対して７重量％〜８０重量％のマグネシウムを含み、
前記組成物は、耐酸性であり、かつ、
前記組成物は、６０〜９０の範囲のＧＥ白色度を有する、組成物。
【請求項３３】
前記組成物は、８０〜９０の範囲のＧＥ白色度を有する、請求項３２に記載の組成物。
【請求項３４】
前記組成物は、包装材料、又は平坦な作業表面を有する構造物の形である、請求項３２に記載の組成物。
【請求項３５】
前記組成物は、ＭｇｘＣＯ３ＣａｙＣＯ３（式中、ｘ及びｙはそれぞれ０より大きく、かつｘは、ｙが１である場合に１ではない）を含む、請求項３２に記載の組成物。
【請求項３６】
粒状鉱物を製造する方法であって、該方法は、炭酸マグネシウムカルシウムを沈殿させて該粒状鉱物を形成することを含み、
前記粒状鉱物の総化学組成は、該粒状鉱物の表面化学組成のマグネシウム含量の５％範囲内のマグネシウム含量を有し、かつ、
前記粒状鉱物は、２０〜８０の範囲の急峻性値を有する、方法。
【請求項３７】
炭酸マグネシウムカルシウムの沈殿は、石灰、マグネシウム化合物、及び水を混ぜ合わせることで、消和された混合物を形成することと、該消和された混合物を二酸化炭素と混ぜ合わせることで、粒状鉱物を沈殿させることとを含む、請求項３６に記載の方法。
【請求項３８】
炭酸マグネシウムカルシウムの沈殿は、石灰、マグネシウム化合物、及び水を混ぜ合わせることで、消和された混合物を形成することと、該消和された混合物をソーダ灰と混ぜ合わせることで、粒状鉱物を沈殿させることとを含む、請求項３６に記載の方法。
【請求項３９】
炭酸マグネシウムカルシウムの沈殿は、石灰、マグネシウム化合物、及び水を混ぜ合わせることで、第１の混合物を形成することと、該第１の混合物を塩化アンモニウムと混ぜ合わせることで、第２の混合物を形成することと、該第２の混合物をソーダ灰又は炭酸アンモニウムと混ぜ合わせることで、粒状鉱物を沈殿させることとを含む、請求項３６に記載の方法。
【請求項４０】
炭酸マグネシウムカルシウムの沈殿は、塩化カルシウム、塩化マグネシウム、及び石灰を混ぜ合わせることで、消和された混合物を形成することと、該消和された混合物から粒状鉱物を沈殿させることとを含む、請求項３６に記載の方法。
【請求項４１】
前記粒状鉱物は、該粒状鉱物の全重量に対して７重量％〜８０重量％のマグネシウムを含む、請求項３６に記載の方法。
【請求項４２】
前記粒状鉱物は、３μｍ〜８０μｍの範囲の平均粒径を有する、請求項３６に記載の方法。
【請求項４３】
マグネシウムは、前記粒状鉱物全体にわたり均一に分配されている、請求項３６に記載の方法。
【請求項４４】
坑井を処理する方法であって、
流体を粒状鉱物に添加することで掘削液を製造することと、
なお、前記粒状鉱物は、炭酸カルシウム及びマグネシウムを含み、前記粒状鉱物は、該粒状鉱物の全重量に対して７重量％〜８０重量％のマグネシウムを含み、かつ前記粒状鉱物の総化学組成は、該粒状鉱物の表面化学組成のマグネシウム含量の５％範囲内のマグネシウム含量を有する；
該掘削液を坑井中に導入することと、
を含む、方法。
【請求項４５】
前記粒状鉱物は、２０〜８０の範囲の急峻性値を有する、請求項４４に記載の方法。
【請求項４６】
前記粒状鉱物は、式ＭｇｘＣＯ３ＣａｙＣＯ３（式中、ｘ及びｙはそれぞれ０より大きく、かつｘは、ｙが１である場合に１ではない）を有する、請求項４４に記載の方法。
【請求項４７】
前記掘削液を坑井中で循環させることを更に含み、該掘削液は、該坑井中の流体消失を低減させる、請求項４４に記載の方法。
【請求項４８】
前記掘削液は、１ｋｇ／ｍ３〜２００ｋｇ／ｍ３の範囲の粒状鉱物の濃度を有する、請求項４４に記載の方法。
【請求項４９】
前記流体は、水系、油系である、又は油−水混合物を含む、請求項４４に記載の方法。
【手続補正２】
【補正対象書類名】明細書
【補正対象項目名】０００７
【補正方法】変更
【補正の内容】
【０００７】
幾つかの例においては、上記粒状鉱物は、リン酸、及び／又はポリマー若しくはコポリマーを更に含み得る。例えば、上記粒状鉱物は、ポリマー又はコポリマーを含む複合粒子の形であり得る。例示的なポリマー及びコポリマーとしては、限定されるものではないが、アクリル系ポリマー、スチレン及びブタジエンのコポリマー、アクリロニトリル及びブタジエンのコポリマー、ジイソブチレン及び無水マレイン酸のコポリマー、マレイン酸変性ブタジエン、マレイン酸変性ポリエチレン、マレイン酸変性ポリプロピレン、並びにそれらの組み合わせが挙げられる。幾つかの例においては、上記粒状鉱物の少なくとも一部は、人造材料、例えばポストコンシューマ材料から誘導される。例えば、上記粒状鉱物は、再生炭酸カルシウムを含み得る。
【手続補正３】
【補正対象書類名】明細書
【補正対象項目名】００１１
【補正方法】変更
【補正の内容】
【００１１】
本開示によるもう１つの例示的な組成物は、炭酸カルシウムと、スチレン−ブタジエンコポリマー、アクリロニトリル−ブタジエンコポリマー、マレイン酸変性ブタジエン、マレイン酸変性ポリエチレン、マレイン酸変性ポリプロピレン、又はそれらの混合物から選択されるコポリマーとを含む粒状鉱物を含み、上記粒状鉱物は、該粒状鉱物の全重量に対して約７重量％〜約８０重量％の上記コポリマーを含み、上記粒状鉱物の総化学組成は、該粒状鉱物の表面化学組成のコポリマー含量の５％範囲内のコポリマー含量を有し、かつ上記粒状鉱物は、約２０〜約８０の範囲の急峻性値を有する。少なくとも１つの例においては、上記コポリマーはラテックスを含む。上記組成物及び／又は上記組成物の粒状鉱物は、先述された又は本明細書の他の箇所で述べられた特徴又は特性のいずれかを有し得る。
【手続補正４】
【補正対象書類名】明細書
【補正対象項目名】００７７
【補正方法】変更
【補正の内容】
【００７７】
１２．  上記ポリマー又は上記コポリマーは、アクリル系ポリマー、スチレン及びブタジエンのコポリマー、アクリロニトリル及びブタジエンのコポリマー、ジイソブチレン及び無水マレイン酸のコポリマー、マレイン酸変性ブタジエン、マレイン酸変性ポリエチレン、マレイン酸変性ポリプロピレン、又はそれらの組み合わせの少なくとも１つを含む、実施形態１１による組成物。
【手続補正５】
【補正対象書類名】明細書
【補正対象項目名】００９３
【補正方法】変更
【補正の内容】
【００９３】
２８．  炭酸カルシウムと、スチレン−ブタジエンコポリマー、アクリロニトリル−ブタジエンコポリマー、マレイン酸変性ブタジエン、マレイン酸変性ポリエチレン、マレイン酸変性ポリプロピレン、又はそれらの混合物から選択されるコポリマーとを含む粒状鉱物を含む組成物であって、上記粒状鉱物は、該粒状鉱物の全重量に対して約７重量％〜約８０重量％の上記コポリマーを含み、上記粒状鉱物の総化学組成は、該粒状鉱物の表面化学組成のコポリマー含量の５％範囲内のコポリマー含量を有し、かつ上記粒状鉱物は、約２０〜約８０の範囲の急峻性値を有する、組成物。